【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
ワイヤレスネットワークにおける多ユーザアップリンク通信のための方法であって、
第１のユーザ端末がアップリンクデータを送信するための要求と、少なくとも１つの要求される動作パラメータの指示とを備える、第１のワイヤレスメッセージを送信することと、
前記第１のワイヤレスメッセージに応答してアクセスポイントから第２のワイヤレスメッセージを受信することと、
を備え、前記第２のワイヤレスメッセージは、前記第１のユーザ端末を含む複数のユーザ端末のうちのどのユーザ端末がアップリンクデータを送信するために選択されるかを示し、前記第２のワイヤレスメッセージは、前記少なくとも１つの要求される動作パラメータに基づく、アップリンクデータの送信のための少なくとも１つの動作パラメータを示す、方法。
【請求項２】
前記少なくとも１つの要求される動作パラメータは、推定送信時間パラメータを備える、請求項１に記載の方法。
【請求項３】
前記少なくとも１つの動作パラメータは、前記第２のワイヤレスメッセージの直後の前記アップリンク送信のための開始時間を特定する、請求項１に記載の方法。
【請求項４】
前記第２のワイヤレスメッセージは、前記第１のワイヤレスメッセージの前記受信に確認応答するが、アップリンクデータを送信するために前記第１のユーザ端末を選択しない、請求項１に記載の方法。
【請求項５】
前記第２のワイヤレスメッセージは、前記第１のワイヤレスメッセージの前記受信に確認応答し、遅れた開始時間におけるアップリンク送信を前記第１のユーザ端末に認める、請求項１に記載の方法。
【請求項６】
ワイヤレスネットワークにおける多ユーザアップリンク通信のためのデバイスであって、
第１のユーザ端末がアップリンクデータを送信するための要求と、少なくとも１つの要求される動作パラメータの指示とを備える、第１のワイヤレスメッセージを送信するように構成される送信機と、
前記第１のワイヤレスメッセージに応答してアクセスポイントから第２のワイヤレスメッセージを受信するように構成される受信機と、
を備え、前記第２のワイヤレスメッセージは、前記第１のユーザ端末を含む複数のユーザ端末のうちのどのユーザ端末がアップリンクデータを送信するために選択されるかを示し、前記第２のワイヤレスメッセージは、前記少なくとも１つの要求される動作パラメータに基づく、アップリンクデータの送信のための少なくとも１つの動作パラメータを示す、デバイス。
【請求項７】
前記少なくとも１つの要求される動作パラメータは、推定送信時間パラメータを備える、請求項６に記載のデバイス。
【請求項８】
前記少なくとも１つの動作パラメータは、前記第２のワイヤレスメッセージの直後の前記アップリンク送信のための開始時間を特定する、請求項６に記載のデバイス。
【請求項９】
前記第２のワイヤレスメッセージは、前記第１のワイヤレスメッセージの前記受信に確認応答するが、アップリンクデータを送信するために前記第１のユーザ端末を選択しない、請求項６に記載のデバイス。
【請求項１０】
前記第２のワイヤレスメッセージは、前記第１のワイヤレスメッセージの前記受信に確認応答し、遅れた開始時間におけるアップリンク送信を前記第１のユーザ端末に認める、請求項６に記載のデバイス。
【請求項１１】
ワイヤレスネットワークにおける多ユーザアップリンク通信のための方法であって、
第１のユーザ端末がアップリンクデータを送信するための要求と、少なくとも１つの要求される動作パラメータの指示とを備える、第１のワイヤレスメッセージを受信することと、
前記第１のワイヤレスメッセージに応答して第２のワイヤレスメッセージを送信することと、を備え、前記第２のワイヤレスメッセージは、前記第１のユーザ端末を含む複数のユーザ端末のうちのどのユーザ端末がアップリンクデータを送信するために選択されるかを示し、前記第２のワイヤレスメッセージは、前記少なくとも１つの要求される動作パラメータに基づく、アップリンクデータの送信のための少なくとも１つの動作パラメータを示す、方法。
【請求項１２】
前記少なくとも１つの要求される動作パラメータは、前記第１のユーザ端末が前記アップリンクデータを送信するために必要とされる持続時間を示す推定送信時間パラメータを備え、前記アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、請求項１１に記載の方法。
【請求項１３】
ワイヤレスネットワークにおける多ユーザアップリンク通信のためのデバイスであって、
第１のユーザ端末がアップリンクデータを送信するための要求と、少なくとも１つの要求される動作パラメータの指示とを備える、第１のワイヤレスメッセージを受信するように構成される受信機と、
前記第１のワイヤレスメッセージに応答して第２のワイヤレスメッセージを送信するように構成される送信機と、
を備え、前記第２のワイヤレスメッセージは、前記第１のユーザ端末を含む複数のユーザ端末のうちのどのユーザ端末がアップリンクデータを送信するために選択されるかを示し、前記第２のワイヤレスメッセージは、前記少なくとも１つの要求される動作パラメータに基づく、アップリンクデータの送信のための少なくとも１つの動作パラメータを示す、デバイス。
【請求項１４】
前記少なくとも１つの要求される動作パラメータは、前記第１のユーザ端末が前記アップリンクデータを送信するために必要とされる持続時間を示す推定送信時間パラメータを備え、前記アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、請求項１３に記載のデバイス。
【請求項１５】
コンピュータ上で実行されるとき、請求項１乃至５または６乃至１０のうちのいずれか一項に記載の方法を実行するための命令を備える、コンピュータプログラム。
【手続補正２】
【補正対象書類名】明細書
【補正対象項目名】００７６
【補正方法】変更
【補正の内容】
【００７６】
[0087]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に、本願の出願当初の特許請求の範囲に記載された発明を付記する。
［Ｃ１］
ワイヤレス通信のための方法であって、
第１のユーザ端末がアップリンクデータを送信するための要求と、少なくとも１つの要求される動作パラメータの指示とを備える、第１のワイヤレスメッセージを送信することと、
前記第１のワイヤレスメッセージに応答してアクセスポイントから第２のワイヤレスメッセージを受信することと、
を備え、前記第２のワイヤレスメッセージは、前記第１のユーザ端末を含む複数のユーザ端末がアップリンクデータを送信するために選択されるかどうかを示し、前記第２のワイヤレスメッセージは、前記少なくとも１つの要求される動作パラメータに基づく、アップリンクデータの送信のための少なくとも１つの動作パラメータを示す、方法。
［Ｃ２］
前記第１のユーザ端末がアップリンクデータを送信するための前記要求は、アップリンク多ユーザ多入力多出力送信機会のための要求を備える、Ｃ１に記載の方法。
［Ｃ３］
前記少なくとも１つの要求される動作パラメータは、推定送信時間パラメータを備える、Ｃ１に記載の方法。
［Ｃ４］
前記推定送信時間パラメータは、アップリンク多ユーザ多入力多出力送信機会の持続時間を示す、Ｃ３に記載の方法。
［Ｃ５］
前記推定送信時間パラメータは、前記第１のユーザ端末が計画された変調およびコーディング方式でアップリンクデータを送信するために必要とされる持続時間を示す、Ｃ３に記載の方法。
［Ｃ６］
アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、Ｃ３に記載の方法。
［Ｃ７］
前記少なくとも１つの要求される動作パラメータは、送信が保留中であるバイトの数と、管理情報と、ユーザ端末の動作モードと、コンテンションパラメータと、アップリンクデータ送信のために用いる空間ストリームの数と、アップリンク送信を開始するための第２のワイヤレスメッセージの受信と比較された時間調整と、電力バックオフ値と、アップリンク送信のためのチャネルと、トラフィック識別子と、送信モードと、アップリンク送信において用いる変調およびコーディング方式と、送信電力パラメータと、トラフィック識別子ごとのキュー情報とを示す、Ｃ１に記載の方法。
［Ｃ８］
アップリンクデータを送信するために選択された前記複数のユーザ端末の前記ユーザ端末と同時に、アップリンク多ユーザ多入力多出力送信で、前記第１のユーザ端末によって前記アップリンクデータを送信することをさらに備える、Ｃ１に記載の方法。
［Ｃ９］
前記第１のワイヤレスメッセージは、リクエストツートランスミットフレーム、リクエストツーセンドフレーム、データフレーム、サービス品質フレーム、または電力節約ポールフレームを備える、Ｃ１に記載の方法。
［Ｃ１０］
前記第２のワイヤレスメッセージは、クリアツートランスミットメッセージを備える、Ｃ１に記載の方法。
［Ｃ１１］
前記少なくとも１つの動作パラメータは、前記第２のワイヤレスメッセージの直後の前記アップリンク送信のための開始時間を特定する、Ｃ１に記載の方法。
［Ｃ１２］
前記第２のワイヤレスメッセージは、前記第１のワイヤレスメッセージの前記受信に確認応答するが、アップリンクデータを送信するために前記第１のユーザ端末を選択しない、Ｃ１に記載の方法。
［Ｃ１３］
前記第２のワイヤレスメッセージは、前記第１のワイヤレスメッセージの前記受信に確認応答し、遅れた開始時間におけるアップリンク送信を前記第１のユーザ端末に認める、Ｃ１に記載の方法。
［Ｃ１４］
ワイヤレス通信のためのデバイスであって、
第１のユーザ端末がアップリンクデータを送信するための要求と、少なくとも１つの要求される動作パラメータの指示とを備える、第１のワイヤレスメッセージを送信するように構成される送信機と、
前記第１のワイヤレスメッセージに応答してアクセスポイントから第２のワイヤレスメッセージを受信するように構成される受信機と、
を備え、前記第２のワイヤレスメッセージは、前記第１のユーザ端末を含む複数のユーザ端末がアップリンクデータを送信するために選択されるかどうかを示し、前記第２のワイヤレスメッセージは、前記少なくとも１つの要求される動作パラメータに基づく、アップリンクデータの送信のための少なくとも１つの動作パラメータを示す、デバイス。
［Ｃ１５］
前記第１のユーザ端末がアップリンクデータを送信するための前記要求は、アップリンク多ユーザ多入力多出力送信機会のための要求を備える、Ｃ１４に記載のデバイス。
［Ｃ１６］
前記少なくとも１つの要求される動作パラメータは、推定送信時間パラメータを備える、Ｃ１４に記載のデバイス。
［Ｃ１７］
前記推定送信時間パラメータは、アップリンク多ユーザ多入力多出力送信機会の持続時間を示す、Ｃ１６に記載のデバイス。
［Ｃ１８］
前記推定送信時間パラメータは、前記第１のユーザ端末が計画された変調およびコーディング方式でアップリンクデータを送信するために必要とされる持続時間を示す、Ｃ１６に記載のデバイス。
［Ｃ１９］
アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、Ｃ１６に記載のデバイス。
［Ｃ２０］
前記少なくとも１つの要求される動作パラメータは、送信が保留中であるバイトの数と、管理情報と、ユーザ端末の動作モードと、コンテンションパラメータと、アップリンクデータ送信のために用いる空間ストリームの数と、アップリンク送信を開始するための第２のワイヤレスメッセージの受信と比較された時間調整と、電力バックオフ値と、アップリンク送信のためのチャネルと、トラフィック識別子と、送信モードと、アップリンク送信において用いる変調およびコーディング方式と、送信電力パラメータと、トラフィック識別子ごとのキュー情報とを示す、Ｃ１４に記載のデバイス。
［Ｃ２１］
前記送信機はさらに、アップリンクデータを送信するために選択される前記複数のユーザ端末の前記ユーザ端末と同時に、アップリンク多ユーザ多入力多出力送信で、前記アップリンクデータを送信するように構成される、Ｃ１４に記載のデバイス。
［Ｃ２２］
前記第１のワイヤレスメッセージは、リクエストツートランスミットフレーム、リクエストツーセンドフレーム、データフレーム、サービス品質フレーム、または電力節約ポールフレームを備える、Ｃ１４に記載のデバイス。
［Ｃ２３］
前記第２のワイヤレスメッセージは、クリアツートランスミットメッセージを備える、Ｃ１４に記載のデバイス。
［Ｃ２４］
前記少なくとも１つの動作パラメータは、前記第２のワイヤレスメッセージの直後の前記アップリンク送信のための開始時間を特定する、Ｃ１４に記載のデバイス。
［Ｃ２５］
前記第２のワイヤレスメッセージは、前記第１のワイヤレスメッセージの前記受信に確認応答するが、アップリンクデータを送信するために前記第１のユーザ端末を選択しない、Ｃ１４に記載のデバイス。
［Ｃ２６］
前記第２のワイヤレスメッセージは、前記第１のワイヤレスメッセージの前記受信に確認応答し、遅れた開始時間におけるアップリンク送信を前記第１のユーザ端末に認める、Ｃ１４に記載のデバイス。
［Ｃ２７］
ワイヤレス通信のための方法であって、
第１のユーザ端末がアップリンクデータを送信するための要求と、少なくとも１つの要求される動作パラメータの指示とを備える、第１のワイヤレスメッセージを受信することと、
前記第１のワイヤレスメッセージに応答して第２のワイヤレスメッセージを送信することと、を備え、前記第２のワイヤレスメッセージは、前記第１のユーザ端末を含む複数のユーザ端末がアップリンクデータを送信するために選択されるかどうかを示し、前記第２のワイヤレスメッセージは、前記少なくとも１つの要求される動作パラメータに基づく、アップリンクデータの送信のための少なくとも１つの動作パラメータを示す、方法。
［Ｃ２８］
前記少なくとも１つの要求される動作パラメータは、前記第１のユーザ端末が前記アップリンクデータを送信するために必要とされる持続時間を示す推定送信時間パラメータを備え、前記アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、Ｃ２７に記載の方法。
［Ｃ２９］
ワイヤレス通信のためのデバイスであって、
第１のユーザ端末がアップリンクデータを送信するための要求と、少なくとも１つの要求される動作パラメータの指示とを備える、第１のワイヤレスメッセージを受信するように構成される受信機と、
前記第１のワイヤレスメッセージに応答して第２のワイヤレスメッセージを送信するように構成される送信機と、
を備え、前記第２のワイヤレスメッセージは、前記第１のユーザ端末を含む複数のユーザ端末がアップリンクデータを送信するために選択されるかどうかを示し、前記第２のワイヤレスメッセージは、前記少なくとも１つの要求される動作パラメータに基づく、アップリンクデータの送信のための少なくとも１つの動作パラメータを示す、デバイス。
［Ｃ３０］
前記少なくとも１つの要求される動作パラメータは、前記第１のユーザ端末が前記アップリンクデータを送信するために必要とされる持続時間を示す推定送信時間パラメータを備え、前記アップリンクデータの送信のための前記少なくとも１つの動作パラメータは、前記複数のユーザ端末がアップリンクデータを送信するためのアップリンク送信持続時間を示すアップリンク持続時間パラメータを備え、前記アップリンク送信持続時間は前記推定送信時間に基づく、Ｃ２９に記載のデバイス。